(57)【特許請求の範囲】
【請求項１】
波長の異なる４つの光信号を合分波する光合分波モジュールであって、
上記４つの光信号のうち２つの光信号が多重化された多重化光信号を入力する入力ポートと、該多重化光信号を２つに分岐するための分岐部と、これら入力ポートと分岐部との間で上記多重化光信号以外の光信号を遮断する反射フィルタとを前段ＰＬＣに形成し、
上記分岐部からの２つの多重化光信号を入力する２つの多重側ポートと、該２つの多重側ポートの中間に配置され上記４つの光信号のうち上記多重化光信号以外の光信号を入力する２つの非多重側ポートと、該２つの非多重側ポートから導かれた導波路が入力に用いられ２つの光信号を合波して２分岐する前段カプラと、該前段カプラの分岐出力の一方から導かれた導波路と上記多重側ポートの一方から導かれた導波路が入力導波路に用いられ前記合波された光信号と上記多重化光信号とを合波して２分岐する第１の後段カプラと、上記前段カプラの分岐出力の他方から導かれた導波路と上記多重側ポートの他方から導かれた導波路が入力導波路に用いられ前記合波された光信号と上記多重化光信号とを合波して２分岐する第２の後段カプラと、上記第１、第２の後段カプラから導かれた導波路からなり上記４つの光信号が合波された出力光信号を出力する４つのポートとを後段ＰＬＣに形成したことを特徴とする光合分波モジュール。
【請求項２】
映像用波長帯域内の第１の光波長を有する第１の映像信号と、前記映像用波長帯域内の第２の光波長を有する第２の映像信号と、音声用波長帯域内の２つの光波長を有する２つの音声信号を重ねた音声多重信号とを合分波することにより、２つの映像信号と２つの音声信号を多重化した映像音声多重信号を４つ取り出す光合分波モジュールにおいて、
音声多重信号を前段ＰＬＣに導入し、該前段ＰＬＣには音声多重信号から映像用波長帯域を除去するための反射フィルタと、その反射フィルタの出射側を入力とする分岐部とを形成することにより、音声多重信号を該前段ＰＬＣで２つに分岐して取り出し、
第１の映像信号と第２の映像信号とを後段ＰＬＣに互いに隣り合わせて配置した２つの非多重側ポートに導入すると共に上記前段ＰＬＣからの２つの音声多重信号を上記後段ＰＬＣに上記２つの非多重側ポートの両外側に配置した２つの多重側ポートに振り分けて導入し、
その後段ＰＬＣには、上記２つの非多重側ポートから導かれた導波路が入力導波路に用いられ第１の映像信号と第２の映像信号とを合波して２分岐する映像多重化用波長無依存カプラと、その映像多重化用波長無依存カプラの分岐出力の一方から導かれた導波路と上記多重側ポートの一方から導かれた導波路が入力導波路に用いられ映像多重信号の一方とその同じ側に導入されている音声多重信号とを合波して２分岐する第１の映像音声多重化用波長無依存カプラと、上記映像多重化用波長無依存カプラの分岐出力の他方から導かれた導波路と上記多重側ポートの他方から導かれた導波路が入力導波路に用いられ映像多重信号のもう一方とその同じ側に導入されている音声多重信号とを合波して２分岐する第２の映像音声多重化用波長無依存カプラと、上記第１、第２の映像音声多重化用波長無依存カプラから導かれた導波路からなり上記２つの映像信号と２つの音声信号を多重化した映像音声多重信号を出力する４つのポートとを形成したことを特徴とする光合分波モジュール。
【請求項３】
上記前段ＰＬＣは、音声多重信号を分岐部に導く導波路の途中に該導波路に交差する溝を形成し、この溝に反射フィルタを挿入して構成することを特徴とする請求項２記載の光合分波モジュール。
【請求項４】
上記波長無依存カプラを非対称Ｘ分岐で構成することを特徴とする請求項２又は３記載の光合分波モジュール。
【請求項５】
波長の異なる４つの光信号を合分波する光合分波モジュールを複数ｎ個集積した集積光合分波モジュールであって、
上記４つの光信号のうち２つの光信号が多重化された多重化光信号を入力する入力ポートと、該多重化光信号を２つに分岐するための分岐部と、これら入力ポートと分岐部との間で上記多重化光信号以外の光信号を遮断する反射フィルタとをｎ組、前段集積ＰＬＣに形成し、
上記分岐部からの２つの多重化信号を入力する２つの多重側ポートと、該２つの多重側ポートの中間に配置され上記４つの光信号のうち上記多重化光信号以外の光信号を入力する２つの非多重側ポートと、該２つの非多重側ポートから導かれた導波路が入力導波路に用いられ２つの光信号を合波して２分岐する前段カプラと、該前段カプラの分岐出力の一方から導かれた導波路と上記多重側ポートの一方から導かれた導波路が入力導波路に用いられ前記合波された光信号と上記多重化光信号とを合波して２分岐する第１の後段カプラと、上記前段カプラの分岐出力の他方から導かれた導波路と上記多重側ポートの他方から導かれた導波路が入力導波路に用いられ前記合波された光信号と上記多重化光信号とを合波して２分岐する第２の後段カプラと、上記第１、第２の後段カプラから導かれた導波路からなり上記４つの光信号が合波された出力光信号を出力する４つのポートとをｎ組、１組ずつに並べて後段集積ＰＬＣに形成したことを特徴とする集積光合分波モジュール。
【発明の詳細な説明】
【技術分野】
【０００１】
本発明は、音声と映像の複合した信号を２チャンネル分重ね合わせて光伝送する光合分波モジュール及び集積光合分波モジュールに係り、接続箇所や部品点数を可及的に低減できる光合分波モジュール及び集積光合分波モジュールに関する。
【背景技術】
【０００２】
音声と映像を複合してなる１チャンネルの信号を２チャンネル分重ね合わせて光伝送するための光学装置として、光合分波モジュールが知られている。例えば、ＦＴＴＨ（Ｆｉｂｅｒ  Ｔｏ  Ｔｈｅ  Ｈｏｍｅ）と呼ばれる光でのデータ通信の分野では、１．３μｍ帯で音声のデータ通信を行い、１．５５μｍ帯で映像のデータ通信を行う際に、１．５５帯の入力ポートを２つ設けることで、これら２つの入力ポートを別々の通信会社に提供することができる。
【０００３】
図４に示した光合分波モジュール３１は、第１の映像信号＄１と第２の映像信号＄２は映像多重化用ＰＬＣ（プレーナ光波回路；Ｐｌａｎａｒ  Ｌｉｇｈｔｗａｖｅ  Ｃｉｒｃｕｉｔ）３２に導入し、その映像多重化用ＰＬＣ３２には第１の映像信号＄１と第２の映像信号＄２とを合波して２分岐する映像多重化用波長無依存カプラ（ＷＩＮＣ；Ｗａｖｅｌｅｎｇｔｈ  ＩＮｓｅｎｓｉｔｉｖｅ  Ｃｏｕｐｌｅｒ）３３を形成することにより、映像多重信号＄１＄２を該映像多重化用ＰＬＣ３２で２つに分岐して取り出し、音声多重信号＄３は映像用波長帯域を除去するための反射フィルタ３４に通し、反射フィルタ３４から出射された音声多重信号＄３を音声追加用ＰＬＣ３５に導入すると共に映像多重化用ＰＬＣ３２から出射される２つの映像多重信号＄１＄２を上記音声多重信号＄３の両側に振り分けて音声追加用ＰＬＣ３５に導入し、その音声追加用ＰＬＣ３５には、音声多重信号＄３を２つに分岐する分岐部３６と、分岐された一方の音声多重信号＄３とその同じ側に導入されている映像多重信号＄１＄２とを合波して２分岐する第１の音声追加化用波長無依存カプラ３７と、分岐された他方の音声多重信号＄３とその同じ側に導入されている映像多重信号＄１＄２とを合波して２分岐する第２の音声追加化用波長無依存カプラ３８とを形成したものである。
【０００４】
ここで、２つの映像信号＄１，＄２の光波長は、１．５５μｍと１．５６μｍとする。音声多重信号＄３に含まれる２つの音声信号の光波長は、１．３１μｍと１．４９μｍとする。また、反射フィルタ３４は、１．５μｍ帯反射フィルタとする。
【０００５】
この光合分波モジュール３１によれば、１．５５μｍの映像信号＄１と１．５６μｍの映像信号＄２とが映像多重化用ＰＬＣ３２の映像多重化用波長無依存カプラ３３で合波されて１．５５μｍ及び１．５６μｍの映像多重信号＄１＄２となり、この映像多重信号＄１＄２が２分岐されて出射され、音声追加用ＰＬＣ３５に導入される。１．３１μｍ及び１．４９μｍの音声多重信号＄３は、反射フィルタ３４で１．５μｍ帯が除去されて出射され、音声追加用ＰＬＣ３５に導入される。音声追加用ＰＬＣ３５では、音声多重信号＄３が分岐部３６で分岐され、２つの音声追加化用波長無依存カプラ３７，３８にて、それぞれ映像多重信号＄１＄２と音声多重信号＄３とが合波され２分岐されて出射される。
【０００６】
なお、波長無依存カプラ（ＷＩＮＣ）は、光波長１．３１μｍから１．５６μｍまでを含む広い幅の光波長に対し合分波特性が均一なものである。
【０００７】
この結果、２つの映像信号と２つの音声信号を多重化した映像音声多重信号＄１＄２＄３を出力＃１，＃２，＃３．＃４として４つ取り出すことができる。
【０００８】
【特許文献１】特開平８−１９００２６号公報
【特許文献２】特開平１０−１０３４６号公報
【発明の開示】
【発明が解決しようとする課題】
【０００９】
図４に示した従来の光合分波モジュール３１は、光ファイバで繋ぐ接続箇所ｆ（○に×印）が多い。すなわち、映像多重化用ＰＬＣ３２と音声追加用ＰＬＣ３５との間は２本の光ファイバで接続される。また、反射フィルタ３４と音声追加用ＰＬＣ３５との間は１本の光ファイバで接続される。よって、３本の光ファイバを接続することになり、接続箇所は３箇所である。光ファイバは融着により接続するので、作業に時間がかかる。なお、入力＄１，＄２，＄３の光ファイバ及び出力＃１，＃２，＃３．＃４の光ファイバのように光合分波モジュール３１の外部から持ってくる光ファイバについては数えない。
【００１０】
また、従来の光合分波モジュール３１は、部品点数が多い。すなわち、光ファイバを除いて数えると、映像多重化用ＰＬＣ３２と音声追加用ＰＬＣ３５と反射フィルタ３４の３点を用いなければならない。
【００１１】
つまり、従来の光合分波モジュール３１は、接続箇所が多いことによる製造コストの増大と部品点数が多いことによる製造・管理コストの増大が避けられない。
【００１２】
接続箇所や部品点数を減らすには、全ての光回路が１つのＰＬＣ上に形成されるのが理想である。ところが、２つの音声信号を多重化した音声多重信号と２つの映像信号の合計３つの信号を合波するためには、光パスの引き回し中に交差部を設けなければならない。このとき、光パスを光ファイバで構成すれば、光パスが交差しても光学的には相互の影響を生じない。しかし、ＰＬＣでは交差部におけるクロストークを考慮しなければならない。クロストークを無くするには、交差部における交差角を１６度以上とする必要がある。この交差角の制約があるため、ＰＬＣのサイズが大きくなり、せっかく接続箇所や部品点数を減らした効果が減じられてしまう。
【００１３】
そこで、本発明の目的は、上記課題を解決し、接続箇所や部品点数を可及的に低減できる光合分波モジュール及び集積光合分波モジュールを提供することにある。
【課題を解決するための手段】
【００１４】
上記目的を達成するために本発明の光合分波モジュールは、波長の異なる４つの光信号を合分波する光合分波モジュールであって、
上記４つの光信号のうち２つの光信号が多重化された多重化光信号を入力する入力ポートと、該多重化光信号を２つに分岐するための分岐部と、これら入力ポートと分岐部との間で上記多重化光信号以外の光信号を遮断する反射フィルタとを前段ＰＬＣに形成し、
上記分岐部からの２つの多重化光信号を入力する２つの多重側ポートと、該２つの多重側ポートの中間に配置され上記４つの光信号のうち上記多重化光信号以外の光信号を入力する２つの非多重側ポートと、該２つの非多重側ポートから導かれた導波路が入力に用いられ２つの光信号を合波して２分岐する前段カプラと、該前段カプラの分岐出力の一方から導かれた導波路と上記多重側ポートの一方から導かれた導波路が入力導波路に用いられ前記合波された光信号と上記多重化光信号とを合波して２分岐する第１の後段カプラと、上記前段カプラの分岐出力の他方から導かれた導波路と上記多重側ポートの他方から導かれた導波路が入力導波路に用いられ前記合波された光信号と上記多重化光信号とを合波して２分岐する第２の後段カプラと、上記第１、第２の後段カプラから導かれた導波路からなり上記４つの光信号が合波された出力光信号を出力する４つのポートとを後段ＰＬＣに形成したものである。
【００１５】
また、本発明の光合分波モジュールは、映像用波長帯域内の第１の光波長を有する第１の映像信号と、前記映像用波長帯域内の第２の光波長を有する第２の映像信号と、音声用波長帯域内の２つの光波長を有する２つの音声信号を重ねた音声多重信号とを合分波することにより、２つの映像信号と２つの音声信号を多重化した映像音声多重信号を４つ取り出す光合分波モジュールにおいて、
音声多重信号を前段ＰＬＣに導入し、該前段ＰＬＣには音声多重信号から映像用波長帯域を除去するための反射フィルタと、その反射フィルタの出射側を入力とする分岐部とを形成することにより、音声多重信号を該前段ＰＬＣで２つに分岐して取り出し、
第１の映像信号と第２の映像信号とを後段ＰＬＣに互いに隣り合わせて配置した２つの非多重側ポートに導入すると共に上記前段ＰＬＣからの２つの音声多重信号を上記後段ＰＬＣに上記２つの非多重側ポートの両外側に配置した２つの多重側ポートに振り分けて導入し、
その後段ＰＬＣには、上記２つの非多重側ポートから導かれた導波路が入力導波路に用いられ第１の映像信号と第２の映像信号とを合波して２分岐する映像多重化用波長無依存カプラと、その映像多重化用波長無依存カプラの分岐出力の一方から導かれた導波路と上記多重側ポートの一方から導かれた導波路が入力導波路に用いられ映像多重信号の一方とその同じ側に導入されている音声多重信号とを合波して２分岐する第１の映像音声多重化用波長無依存カプラと、上記映像多重化用波長無依存カプラの分岐出力の他方から導かれた導波路と上記多重側ポートの他方から導かれた導波路が入力導波路に用いられ映像多重信号のもう一方とその同じ側に導入されている音声多重信号とを合波して２分岐する第２の映像音声多重化用波長無依存カプラと、上記第１、第２の映像音声多重化用波長無依存カプラから導かれた導波路からなり上記２つの映像信号と２つの音声信号を多重化した映像音声多重信号を出力する４つのポートとを形成したものである。
【００１６】
上記前段ＰＬＣは、音声多重信号を分岐部に導く導波路の途中に該導波路に交差する溝を形成し、この溝に反射フィルタを挿入して構成してもよい。
【００１７】
上記波長無依存カプラを非対称Ｘ分岐で構成してもよい。
【００１８】
さらに、本発明の集積光合分波モジュールは、波長の異なる４つの光信号を合分波する光合分波モジュールを複数ｎ個集積した集積光合分波モジュールであって、
上記４つの光信号のうち２つの光信号が多重化された多重化光信号を入力する入力ポートと、該多重化光信号を２つに分岐するための分岐部と、これら入力ポートと分岐部との間で上記多重化光信号以外の光信号を遮断する反射フィルタとをｎ組、前段集積ＰＬＣに形成し、
上記分岐部からの２つの多重化信号を入力する２つの多重側ポートと、該２つの多重側ポートの中間に配置され上記４つの光信号のうち上記多重化光信号以外の光信号を入力する２つの非多重側ポートと、該２つの非多重側ポートから導かれた導波路が入力導波路に用いられ２つの光信号を合波して２分岐する前段カプラと、該前段カプラの分岐出力の一方から導かれた導波路と上記多重側ポートの一方から導かれた導波路が入力導波路に用いられ前記合波された光信号と上記多重化光信号とを合波して２分岐する第１の後段カプラと、上記前段カプラの分岐出力の他方から導かれた導波路と上記多重側ポートの他方から導かれた導波路が入力導波路に用いられ前記合波された光信号と上記多重化光信号とを合波して２分岐する第２の後段カプラと、上記第１、第２の後段カプラから導かれた導波路からなり上記４つの光信号が合波された出力光信号を出力する４つのポートとをｎ組、１組ずつに並べて後段集積ＰＬＣに形成したものである。
【発明の効果】
【００１９】
本発明は次の如き優れた効果を発揮する。
【００２０】
（１）接続箇所や部品点数を可及的に低減できる。
【発明を実施するための最良の形態】
【００２１】
以下、本発明の一実施形態を添付図面に基づいて詳述する。
【００２２】
図１に示されるように、本発明に係る光合分波モジュール１は、映像用波長帯域内の第１の光波長を有する第１の映像信号＄１と、同波長帯域内の第２の光波長を有する第２の映像信号＄２と、音声用波長帯域内の２つの光波長を有する２つの音声信号を重ねた音声多重信号＄３とを合分波することにより、２つの映像信号と２つの音声信号を多重化した映像音声多重信号＄１＄２＄３を４つ（＃１〜＃４）取り出す光合分波モジュール１において、音声多重信号＄３を前段ＰＬＣ２に導入し、その前段ＰＬＣ２には音声多重信号から映像用波長帯域を除去するための反射フィルタ３とその反射フィルタ３の出射側を入力とする分岐部４とを形成することにより、音声多重信号＄３を該前段ＰＬＣ２で２つに分岐して取り出し、第１の映像信号＄１と第２の映像信号＄２とを後段ＰＬＣ５に互いに隣り合わせて配置した２つの非多重側ポートに導入すると共に上記前段ＰＬＣ２からの２つの音声多重信号を上記後段ＰＬＣ５に上記２つの非多重側ポートの両外側に配置した２つの多重側ポートに振り分けて導入し、その後段ＰＬＣ５には、上記２つの非多重側ポートから導かれた導波路が入力導波路に用いられ第１の映像信号＄１と第２の映像信号＄２とを合波して２分岐する映像多重化用波長無依存カプラ６と、その映像多重化用波長無依存カプラ６の分岐出力の一方から導かれた導波路と上記多重側ポートの一方から導かれた導波路が入力導波路に用いられ映像多重信号＄１＄２の一方とその同じ側に導入されている音声多重信号＄３とを合波して２分岐する第１の映像音声多重化用波長無依存カプラ７と、上記映像多重化用波長無依存カプラ６の分岐出力の他方から導かれた導波路と上記多重側ポートの他方から導かれた導波路が入力導波路に用いられ映像多重信号＄１＄２のもう一方とその同じ側に導入されている音声多重信号＄３とを合波して２分岐する第２の映像音声多重化用波長無依存カプラ８と、上記第１、第２の映像音声多重化用波長無依存カプラ７，８から導かれた導波路からなり上記２つの映像信号と２つの音声信号を多重化した映像音声多重信号＄１＄２＄３を出力する４つのポートとを形成したものである。
【００２３】
ここで、２つの映像信号＄１，＄２の光波長は、１．５５μｍと１．５６μｍとする。音声多重信号＄３に含まれる２つの音声信号の光波長は、１．３１μｍと１．４９μｍとする。また、反射フィルタ３は、１．５μｍ帯反射フィルタとする。
【００２４】
図示のように、後段ＰＬＣ５は、図示左辺にあたる入力端に図示上辺に近い順に音声多重信号＄３用の導入部（入力用のポート）、第１の映像信号＄１用の導入部、第２の映像信号＄２用の導入部、音声多重信号＄３用の導入部を配し、これら導入部からの第１の映像信号＄１の光路と第２の映像信号＄２の光路とを映像多重化用波長無依存カプラ６に組み入れ、その映像多重化用波長無依存カプラ６の出力側光路の図示上辺に近い一方と同じく図示上辺に近い方の音声多重信号＄３の光路とを第１の映像音声多重化用波長無依存カプラ７に組み入れ、映像多重化用波長無依存カプラ６の出力側光路の図示下辺に近い一方と同じく図示下辺に近い方の音声多重信号＄３の光路とを第２の映像音声多重化用波長無依存カプラ８に組み入れ、各々の映像音声多重化用波長無依存カプラ７，８の出力側光路を図示右辺にあたる出力端まで伸ばして出力用のポートを形成してある。
ここで、後段ＰＬＣ５の左辺にあたる入力端のうち光ファイバ９ａ，９ｂが接続された箇所が多重側ポートであり、光ファイバ９ｃ，９ｄが接続された箇所が非多重側ポートであり、映像多重化用波長無依存カプラ６が前段カプラであり、第１の映像音声多重化用波長無依存カプラ７が第１の後段カプラであり、第２の映像音声多重化用波長無依存カプラ８が第２の後段カプラである。
【００２５】
この後段ＰＬＣ５の構成によれば、第１の映像信号＄１と第２の映像信号＄２とが入力端において互いに隣り合わせて導入されており、それらの両外側を挟むように音声多重信号＄３が導入されているので、映像多重化用波長無依存カプラ６から出力される２つの映像多重信号＄１＄２がそれぞれ隣接する光路の音声多重信号＄３と合成できる。図１に示した光路（導波路）と光素子の配置から分かるように、後段ＰＬＣ５内に交差部は形成されない。
【００２６】
後段ＰＬＣ５と図４の光合分波モジュール３１における音声追加用ＰＬＣ３５と比較すると、音声追加用ＰＬＣ３５では音声多重信号＄３を入力端の中央に導入し、映像多重信号＄１＄２を音声多重信号の上辺側と下辺側とに振り分けて導入しているので、後段ＰＬＣ５とは信号が通る光路の位置関係が逆である。また、後段ＰＬＣ５は、映像多重化用ＰＬＣ３２と音声追加用ＰＬＣ３５とを一体化し、分岐部３６をなくしたものとなっている。
【００２７】
一方、前段ＰＬＣ２には、反射フィルタ３と分岐部４とが設けられている。この分岐部４は、音声追加用ＰＬＣ３５の入力端に設けられた分岐部３６と機能的には同じであるが、前段ＰＬＣ２に置いたことにより、分岐部４の出力を後段ＰＬＣ５に対して光ファイバ９ａ，９ｂで導くことになる。
【００２８】
このような光路や光素子の配置に関する構造的な差異により、光ファイバによる接続箇所ｆ（○に×印）が減って、２箇所となっている。もちろん、従来技術の場合と同様、入力＄１，＄２，＄３の光ファイバ及び出力＃１，＃２，＃３．＃４の光ファイバのように光合分波モジュール１の外部から持ってくる光ファイバについては数えない。
【００２９】
また、光合分波モジュール１の部品点数は、前段ＰＬＣ２と後段ＰＬＣ５の２点である。
【００３０】
以上のように、本発明の光合分波モジュール１は、従来の光合分波モジュール３１と比べると、光ファイバによる接続箇所が少なく、かつ部品点数が少なくなっている。よって、製造コストや管理コストを削減することができる。
【００３１】
次に、前段ＰＬＣ２の構成について詳しく述べる。
【００３２】
図２に示されるように、前段ＰＬＣ２は、音声多重信号＄３を分岐部４に導く導波路２１の途中に該導波路２１に交差する溝２２を形成し、この溝２２に反射フィルタ３を挿入して構成したものである。溝２２は、ダイシングなどで形成したもので、導波路２１に対して直角に交差している。反射フィルタ３は一定厚の板状に形成されたものである。この反射フィルタ３は出力＃１，＃２，＃３．＃４の光ファイバに断線があった場合に、音声多重信号＄３の入力端へ映像信号＄１，＄２が含まれる１．５５μｍ帯の光が逆行するのを防ぐためのものである。分岐部４の出力側となる前段ＰＬＣ２の端部にはコア２３が現れている。
【００３３】
次に、本発明に用いる波長無依存カプラ（ＷＩＮＣ）の構成例を説明する。
【００３４】
映像多重化用波長無依存カプラ６、第１の映像音声多重化用波長無依存カプラ７、第２の映像音声多重化用波長無依存カプラ８には、１：１ＷＩＮＣと呼ばれるものを使用する。１：１ＷＩＮＣは、入力光が２つの分岐に均等に出力され、第一出力と第二出力との出力光強度の比が１：１となるものである。
【００３５】
図３（ａ）に示した１：１ＷＩＮＣは、方向性結合器３０１で構成したものである。方向性結合器３０１は、直線部のギャップＧと長さＬとで波長無依存の波長範囲を決定することができる。しかし、方向性結合器３０１によって１．３１〜１．５６μｍの広帯域で波長無依存を実現することは難しく、１．５μｍ帯（１．５５〜１．５６μｍ）のみしか波長無依存にすることはできない。よって、図３（ａ）のＷＩＮＣは、１．５μｍ帯のみ１：１の出力比を得ることができる。
【００３６】
図３（ｂ）に示した１：１ＷＩＮＣは、マッハツェンダ（ＭＺＩ）型ＷＩＮＣ３０２である。ＭＺＩ型ＷＩＮＣ３０２は、２つの方向性結合器３０３，３０４を連結し、両者間の２本の光路長をＬとＬ＋ΔＬにしたものである。ＭＺＩ型ＷＩＮＣは、１．３１〜１．５６μｍの広帯域で波長無依存を実現することができる。
【００３７】
図３（ｃ）に示した１：１ＷＩＮＣは、非対称Ｘ分岐３０５で構成したものである。非対称Ｘ分岐３０５は、２入力２出力の光導波路を交差させたＸ分岐であって、２つの入力導波路の幅Ｗ０，Ｗ１が互いに異なっているものである。２つの出力導波路の幅Ｗ２同士は等しい。非対称Ｘ分岐３０５は、１．３１〜１．５６μｍの広帯域で波長無依存を実現することができる。さらに、非対称Ｘ分岐３０５は、ＭＺＩ型ＷＩＮＣ３０２に比較して製造バラツキ（プロセス偏差）に鈍感であり、ＭＺＩ型ＷＩＮＣ３０２よりも製造が容易である。従って、映像多重化用波長無依存カプラ６、第１の映像音声多重化用波長無依存カプラ７、第２の映像音声多重化用波長無依存カプラ８に非対称Ｘ分岐３０５を用いるのが好ましい。
【００３８】
これまでの説明では、入力＄１，＄２，＄３は第１の映像信号＄１、第２の映像信号＄２、音声多重信号＄３としたが、映像や音声といった担持される信号種類は問わず、波長の異なる４つの光信号を合分波する光合分波モジュールに本発明は適用できる。
【００３９】
また、これまで説明した光合分波モジュール１を複数個、例えば８個、集積した集積光合分波モジュールを構成する場合、前段ＰＬＣ２や後段ＰＬＣ５をそれぞれ別個に８個ずつ集めるのではなく、図５に示されるように、集積光合分波モジュール５１は、前段集積ＰＬＣ５２と後段集積ＰＬＣ５３を形成する。
【００４０】
前段集積ＰＬＣ５２は、光波長が異なる２つの音声信号を重ねた音声多重信号＄３を入力する入力ポート５４と、音声多重信号＄３を２つに分岐するための分岐部５５と、これら入力ポートと分岐部との間で音声多重信号＄３以外の光信号を遮断する反射フィルタ５６とを８組集積して形成したものである。反射フィルタ５６は８つの入力ポート５４の導波路に交差する１本の溝を形成して、その溝に挿入する。
【００４１】
後段集積ＰＬＣ５３は、分岐部５４からの２つの音声多重信号＄３を入力する２つの多重側ポート５７と、２つの多重側ポート５７の中間に配置され光波長が異なる第１、第２の映像信号＄１，＄２を入力する２つの非多重側ポート５８と、２つの非多重側ポート５８から導かれた導波路が入力導波路に用いられ第１、第２の映像信号＄１，＄２を合波して２分岐する前段カプラと、該前段カプラの分岐出力の一方から導かれた導波路と多重側ポート５７の一方から導かれた導波路が入力導波路に用いられ第１、第２の映像信号＄１，＄２と音声多重信号＄３とを合波して２分岐する第１の後段カプラと、前段カプラの分岐出力の他方から導かれた導波路と多重側ポート５７の他方から導かれた導波路が入力導波路に用いられ第１、第２の映像信号＄１，＄２と音声多重信号＄３とを合波して２分岐する第２の後段カプラ５９と、上記第１、第２の後段カプラから導かれた導波路からなり上記４つの光信号が合波された出力光信号を出力する４つのポート６０とを８組、１組ずつに並べて集積して形成したものである。
【００４２】
前段集積ＰＬＣ５２と後段集積ＰＬＣ５３との間は光ファイバで繋ぐ。前段集積ＰＬＣ５２の入力ポート５４及び後段集積ＰＬＣ５３の入力ポート５８に対して、各光信号を光ファイバで導く。
【図面の簡単な説明】
【００４３】
【図１】本発明の一実施形態を示す光合分波モジュールの光学回路図である。
【図２】図１の光合分波モジュールに用いる前段ＰＬＣの斜視図である。
【図３】（ａ）〜（ｃ）は、本発明に用いる１：１ＷＩＮＣの構成例を示す構成図である。
【図４】従来の光合分波モジュールの光学回路図である。
【図５】本発明の一実施形態を示す集積光合分波モジュールの光学回路図である。
【符号の説明】
【００４４】
１  光合分波モジュール
２  前段ＰＬＣ
３  反射フィルタ
４  分岐部
５  後段ＰＬＣ
６  映像多重化用波長無依存カプラ
７  第１の映像音声多重化用波長無依存カプラ
８  第２の映像音声多重化用波長無依存カプラ
【図１】
0004460543.tif 000002
【図２】
0004460543.tif 000003
【図３】
0004460543.tif 000004
【図４】
0004460543.tif 000005
【図５】
0004460543.tif 000006